(57)【要約】【課題】液晶表示装置を狭額縁化することができる液晶表示パネルとバックライトユニットの固定構造を提供する。【解決手段】液晶表示パネル２の視認側に貼付されている偏光板７が、液晶表示パネル２のガラス基板４の外形よりも大きく形成し、ガラス基板５より張り出した偏光板７の張出部７ａをフレーム８の上端に接着して、液晶表示パネル２とバックライトユニット３とを固定する。【選択図】      図１
2005049450.tif 000002
【特許請求の範囲】
【請求項１】
フレームと該フレーム内に収納される光源および導光板とを備えたバックライトユニットに液晶表示パネルが接着して固定されている液晶表示パネルとバックライトユニットの固定構造において、
前記液晶表示パネルの視認側に貼付されている偏光板が、前記液晶表示パネルのガラス基板の外形よりも大きく形成されており、前記ガラス基板より張り出した前記偏光板の張出部が前記フレームの上端に接着され、前記液晶表示パネルと前記バックライトユニットとが固定されていることを特徴とする液晶表示パネルとバックライトユニットの固定構造。
【発明の詳細な説明】
【０００１】
【発明の属する技術分野】
本発明は、液晶表示パネルとバックライトユニットの固定構造に係り、特に、液晶表示装置の狭額縁化に適する液晶表示パネルとバックライトユニットの固定構造に関する。
【０００２】
【従来の技術】
従来から、液晶表示パネルをバックライトユニット内に組込んでなる液晶表示装置は、表示機器の小型化、例えば、移動体通信機等に使用される際、液晶表示装置自体がその表示領域の外周に位置する非表示領域の幅を狭くして狭額縁化されてきた。
【０００３】
このような液晶表示装置において、液晶表示パネルをバックライトユニット内に固定するには、液晶表示パネルの表示面とは反対側の裏面側をバックライトユニットに対向させ、前記液晶表示パネルの裏面の非表示領域に両面テープを貼付して前記バックライトユニットと接着して固定していた。
【０００４】
すなわち、前記液晶表示パネルは、例えばそれぞれガラスあるいはプラスチックなどからなる第１の基板と第２の基板を有しており、これら両基板の間に液晶が封入され、各基板の表面にそれぞれ偏光板が貼付されている。また、前記第２の基板には、前記第１の基板よりも平面視側方に突出した突出部が形成されており、この突出部にＩＴＯからなる透明電極が露出するように形成されるとともに、この透明電極に液晶表示パネルを駆動させるドライバＩＣが搭載される。
【０００５】
前記突出部には、ドライバＩＣの他に、外部からの信号および電力をドライバＩＣに供給するためのＦＰＣ（Ｆｌｅｘｉｂｌｅ  Ｐｒｉｎｔ  Ｃｉｒｃｕｉｔ）が搭載されている。このうちドライバＩＣは異方性導電膜などのドライバＩＣ接続用接着剤により、また、ＦＰＣは異方性導電膜のＦＰＣ接続用ＡＣＦ樹脂により熱加圧接着することにより電気的および物理的に液晶表示パネルに接続されている。
【０００６】
前記バックライトユニットは、複数のＬＥＤチップからなる光源と、前記光源から発せられた光を前記液晶表示パネルへと導く導光板と、前記液晶表示パネルの位置決めおよび導光板の固定のためのフレームとを有している。
【０００７】
前記液晶表示パネルが装着される前記導光板の表面の額縁には、前記液晶表示パネルを接着固定するための両面テープが枠状に貼り付けられており、前記導光板の反対側の面には、反射シートが貼り付けられている。両面テープは前記液晶表示パネルの非表示領域に対応する位置に貼り付けられている。この両面テープは、ドライバＩＣが光による誤動作を起こさないように、遮光性のある素材、例えば黒色ＰＥＴ基材の両側に両面テープを貼り付けたものが選択されている。
【０００８】
そして、前記液晶表示パネルと前記バックライトユニットは、両面テープによって接着されている。すなわち、両面テープは、前記偏光板と導光板とを液晶表示パネルの外周で接着して固定している。
【０００９】
【特許文献１】
特開２００３−１２１８１５号公報  （第３−４頁、第１−３図）
【００１０】
【発明が解決しようとする課題】
しかし、前述しような液晶表示パネルとバックライトユニットの固定構造においては、前述した液晶表示装置の狭額縁化により液晶表示パネルの非表示領域が減少するとともに、すなわち、バックライトユニットの発光エリアの拡大によって両面テープを貼付する面積が減少してきており、液晶表示パネルとバックライトユニットの固定が不安定なものになっていた。また、液晶表示装置の表示面、すなわち、液晶表示パネルの偏光板に衝撃が加わった場合、前記偏光板に作用する衝撃が直接液晶表示パネルの基板に影響して、前記ガラス基板が割れるおそれがあった。
【００１１】
本発明はこのような問題点に鑑みてなされたもので、液晶表示装置の狭額縁化に対応することができ、さらに、液晶表示パネルが割れるおそれを未然に防止することのできる液晶表示パネルとバックライトユニットの固定構造を提供することを目的としている。
【００１２】
【課題を解決するための手段】
前述した目的を達成するため本発明に係る液晶表示パネルとバックライトユニットの固定構造の特徴は、液晶表示パネルの視認側に貼付されている偏光板が、液晶表示パネルのガラス基板の外形よりも大きく形成されており、ガラス基板より張り出した偏光板の張出部がバックライトユニットのフレームの上端に接着され、液晶表示パネルがバックライトユニットに固定されている点にある。
【００１３】
このような構成を採用したことにより、バックライトユニットの非発光エリアに両面テープを貼付することなく液晶表示パネルとバックライトユニットを固定することができ、液晶表示装置の狭額縁化に対応することができる。さらに、液晶表示装置の表示面、すなわち、液晶表示パネルの偏光板に衝撃が加わった場合、前記偏光板に掛かる衝撃を前記バックライトユニットのフレームにより受けることができるため、液晶表示パネルに作用する衝撃を減少することができ、液晶表示パネルが割れることを未然に防止することができる。
【００１４】
【発明の実施の形態】
以下、図面を用いて本発明に係る液晶表示パネルとバックライトの固定構造の実施形態について説明する。
【００１５】
図１は本発明に係る液晶表示パネルとバックライトの固定構造の実施形態を示す概略斜視図、図２は図１の液晶表示パネルを下方から見た概略斜視図である。
【００１６】
本実施形態における液晶表示装置１は、図１に示すように、液晶表示パネル２とバックライトユニット３とを有している。
【００１７】
前記液晶表示パネル２は、図１および図２に示すように、それぞれガラスあるいはプラスチックなどからなる第１の基板４と第２の基板５との間に液晶（図示せず）が封入されており、前記第２の基板５には、前記第１の基板４よりも突出した突出部５ａが形成され、ドライバＩＣ（図示せず）が搭載され、フレキシブル配線基板（図示せず）が接続される。また、前記第１の基板４と前記第２の基板５の表面には、それぞれ偏光板６、７が貼付けられている。
【００１８】
前記偏光板７は、平面視において前記第１の基板４よりも外形が大きく形成されており、前記第１の基板４と貼り合わされた前記第２の基板５の突出部５ａ側を除く３辺が、前記第２の基板５から張り出して貼付されている。
【００１９】
前記バックライトユニット３は、上方が開放された箱状のフレーム８を有しており、前記フレーム８の一側壁には、フレキシブル配線基板を引出す開口８ａが形成されている。
【００２０】
前記フレーム８内には、前記液晶表示パネル２の表示面と対向する導光板（図示せず）と、前記導光板の側方に平行に光源（図示せず）が配設されている。また、前記導光板の下面には、前記光源から発せられる光を前記導光板を介して前記液晶表示パネル２の表示面へ反射する反射シート（図示せず）が配設されており、さらに、前記光源の周りには、前記光源から発せられる光を前記導光板側へ集光するように、前記光源を覆う略円筒形状の反射筒（図示せず）が配設されており、この反射筒の前記導光板側には開口が形成されている。
【００２１】
また、前記導光板の前記液晶表示パネル２と対向する面には、前記光源から前記導光板へ発せられた光を拡散および増幅するための拡散シート（図示せず）とレンズシート（図示せず）とが配設されている。
【００２２】
なお、前記フレーム８の各側壁の高さは、前記導光板、前記拡散シート、前記レンズシート、間に液晶を封入された前記第１の基板４と前記第２基板５、そして、前記偏光板６を収納することができ、好ましくは、前記拡散シートと前記偏光板６との間に隙間ができる寸法に形成されている。
【００２３】
つぎに、このような構成からなる液晶表示パネル２とバックライトユニット３の固定構造を具体的に説明する。
【００２４】
前記液晶表示パネル２の前記第２の基板５の突出部５ａを前記バックライトユニット３の開口８ａ側に位置合わせし、前記偏光板７の前記第２の基板５から張り出した張出部７ａあるいは前記フレーム８の前記偏光板７の張出部７ａに対応する側壁の上端に接着剤（図示せず）を塗布し、前記液晶表示パネル２を前記バックライトユニット３に対して圧接して固着させる。このようにして、液晶表示パネル１が完成される。
【００２５】
このような構成により、従来のように前記液晶表示パネル２と前記バックライトユニット３とを固定するために両面テープを用いる必要がないため、両面テープを貼付するための領域を必要とせず、液晶表示装置１を狭額縁化することが可能となる。また、前記液晶表示パネル２を、前記偏光板７の張出部７ａを前記バックライトユニット３のフレーム６に直接固定することにより、前記液晶表示パネル２の表示面、すなわち、前記偏光板７に衝撃が加わった場合、前記偏光板７ないし前記液晶表示パネル２のみで衝撃を受けるのではなく、前記フレーム６によっても衝撃を受けることができるので、衝撃が分散され、液晶表示パネル２が割れることを未然に防止することができる。さらに、前記拡散シートと前記偏光板６の間に隙間を設けることにより、バックライトユニット３の光源から発せられる熱が直接液晶表示パネル２に伝わることを防止することができ、熱による液晶表示パネル２の表示不良を防止することができる。
【００２６】
なお、本発明は、前述した実施形態に限定されるものではなく、必要に応じて種々の変更が可能である。
【００２７】
例えば、液晶表示パネルの第１の基板が視認側である場合には、第１の基板に貼付される偏光板を第１の基板よりも大きく形成して張出部とし、バックライトユニットのフレームに接着して固定してもよい。
【００２８】
また、偏光板の２辺を基板よりも大きく形成して張出部としてもよいし、偏光板の４辺を基板よりも大きく形成して張出部としてもよい。
【００２９】
さらにまた、偏光板の張出部とバックライトユニットのフレームの上端との接着は、偏光板の粘着剤を用いてもよく、細幅の両面テープを用いてもよい。
【００３０】
【発明の効果】
以上説明したように本発明によれば、液晶表示パネルとバックライトユニットを固定するための両面テープを貼付する領域を必要とせず、液晶表示装置を狭額縁化することができる。さらに、液晶表示装置の表示面に加わった衝撃をバックライトユニットのフレームにより受けることができるため、液晶表示パネルに作用する衝撃を分散することができ、液晶表示パネルが割れることを未然に防止することのできる。
【図面の簡単な説明】
【図１】本発明に係る液晶表示パネルとバックライトの固定構造の実施形態を示す概略斜視図
【図２】図１の液晶表示パネルを下方から見た概略斜視図
【符号の説明】
１  液晶表示装置
２  液晶表示パネル
３  バックライトユニット
４  第１の基板
５  第２の基板
６  偏光板
７  偏光板
８  フレーム
【図１】
2005049450.tif 000003
【図２】
2005049450.tif 000004